(57)【要約】      （修正有）【課題】複数のモダリティが有するデータを簡潔に表示することができる画像診断装置を提供する。【解決手段】ユーザが患者ＩＤを入力する。データサーバ２の患者ＩＤテーブル２１から、入力された患者ＩＤに対応する患者名、身長、体重等といった基本データを取得する。次に件数カウント部５４は、自装置である画像診断装置３ａの当該患者ＩＤに関する記載件数（検査件数）をカウントする。次にリスト取得部５２は、通信部１５を介して他の画像診断装置３ｂ〜３ｅへ、当該患者ＩＤを送信し、当該患者ＩＤに関するリストを取得し記憶部１６に格納する。次に、件数カウント部５４は、他の画像診断装置それぞれについて、取得したリストの記載件数（検査件数）をカウントし、すべてカウントを終了したら、統合リスト作成部５５は、患者ＩＤおよび自装置を含めた各画像診断装置におけるリストの記載件数を記載した統合リストを作成し、表示部１２に表示する。【選択図】図１
2011024688.tif 000002
【特許請求の範囲】
【請求項１】
被検体をスキャンして診断画像データを収集するデータ収集部と、
前記被検体の識別情報に基づいて、他の医用画像診断装置に対応する画像リストを取得するリスト取得部と、
前記リスト取得部で取得した前記画像リストにおける画像識別子を選択するための選択部と、
前記選択部で選択された前記画像識別子に対応した画像データを他の医用画像診断装置から取得する画像データ取得部と、
前記データ収集部で取得した前記診断画像データ及び前記画像データ取得手段で取得した画像データを表示する表示部と、
を有することを特徴とする画像診断装置。
【請求項２】
被検体をスキャンして診断画像データを収集するデータ収集部と、
前記被検体の識別情報に基づいて、他の医用画像診断装置に対応する画像リストを取得するリスト取得部と、
前記リスト取得部で取得した前記画像リストにおける記載件数を、前記画像診断装置毎にカウントする件数カウント部と、
前記件数カウント部でカウントした、前記各記載件数を前記画像診断装置毎に表記した合成リストを作成する合成リスト作成部と、
前記合成リスト作成部で作成した前記合成リストを、参照情報として表示する表示部と、
を有することを特徴とする画像診断装置。
【請求項３】
前記合成リストに表記された、任意の画像診断装置の前記記載件数が選択された場合、前記表示部は該当する前記画像診断装置の前記画像リストを表示する、
ことを特徴とする請求項２記載の画像診断装置。
【請求項４】
前記合成リストに表記された、前記任意の画像診断装置の前記記載件数が選択された場合、前記表示部は該当する前記画像診断装置で撮影した前記画像データを取得して表示する、
ことを特徴とする請求項２記載の画像診断装置。
【請求項５】
前記任意の画像診断装置の前記画像リストにおける任意の診断項目が選択された場合、前記表示部は当該診断項目に特化したリストを表示する、
ことを特徴とする請求項３記載の画像診断装置。
【発明の詳細な説明】
【技術分野】
【０００１】
本発明は、他の画像診断装置が有するデータを参照する画像診断装置に関する。
【背景技術】
【０００２】
画像診断装置には、Ｘ線ＣＴ（Computed Tomography）装置、ＭＲＩ（磁気共鳴イメージング：Magnetic Resonance Imaging）装置、Ｘ線診断装置、超音波診断装置等様々なモダリティがある。あるモダリティによって被検体を撮影診断するために、同一被検体を撮影した他のモダリティの医用画像を参照する手法が多く用いられている。例えば、ＣＴ、ＭＲＩ等で撮影した形態画像に、ＰＥＴ（陽電子放出コンピュータ断層：Positron Emission computed Tomography）で撮影した機能画像を重ね合わせることで、撮影した部位の位置を特定する。また、事前にＣＴで撮影された３次元画像データを用いて、超音波診断装置やＸ線診断装置での撮影位置を決定する。このように、現在診断しているモダリティが、他のモダリティから医用画像や詳細情報を取得することは、診断精度や検査効率の向上のためにも重要である。
【０００３】
各モダリティは、撮影および診断する患者のＩＤ、名前、撮影条件、撮影部位等といった、撮影および診断に必要な項目についてのリストを作成する機能を有している。図６にＸ線診断装置のリストの例、図７に超音波診断装置のリストの例を示す。例えば、Ｘ線診断装置におけるリストでは、患者ＩＤ、実施日、プロトコル（診断手法）、Ｘ線線量、撮影した画像データに対応する少なくとも１つの画像ＩＤが項目として表記される。また、超音波診断装置におけるリストでは、患者ＩＤ、実施日、プロトコル、診断部位、撮影した画像データに対応する少なくとも１つの画像ＩＤが項目として表記される。リストは、１検査につき１行で表記されるため、リストの行数が検査した件数である。
【０００４】
特許文献１では、医用画像診断装置に参照画像収集表示手段を備え、撮影対象の被検者について、他の装置が有する医用画像の全てを検索および収集する技術が開示されている。
【先行技術文献】
【特許文献】
【０００５】
【特許文献１】特開２００６−２３０８６７号公報
【発明の概要】
【発明が解決しようとする課題】
【０００６】
検査技師が医用画像診断装置で患者を診断中に、他モダリティの画像や情報を参照したい場合がある。この場合、現在使用しているモダリティにおけるリスト項目に、他モダリティの項目を付け加えてリストを表示する方法が知られている。図８は、超音波診断装置のリストにＰＥＴの項目を付け加えたリストの例である。各モダリティはそれぞれ装置特有の項目を有しているため、一方のモダリティでは使用する項目が、もう一方のモダリティでは使用しない場合がある。例えばＰＥＴでは、「線量」や「使用核種」の項目があるが、超音波診断装置には使用しない項目のため、リストに情報の無い空欄の部分が存在してしまう。さらに、項目が増えるため、リストが横に長くなってしまい、すべての項目が一度に表示できず、例えばスクロールバーを設けて表示をスクロールしないとリスト全体を見ることができない。表に空欄部分があるにもかかわらず、項目が多いために表全体を一度に表示できないことは、ユーザにとって煩わしく感じる。
【０００７】
本発明はこのような点を考慮してなされたもので、複数の装置が有するデータを簡潔に表示することができる画像診断装置を提供することを目的とする。
【課題を解決するための手段】
【０００８】
本発明に係る画像診断装置は、被検体をスキャンして診断画像データを収集するデータ収集部と、前記被検体の識別情報に基づいて、他の医用画像診断装置に対応する画像リストを取得するリスト取得部と、前記リスト取得部で取得した前記画像リストにおける画像識別子を選択するための選択部と、前記選択部で選択された前記画像識別子に対応した画像データを他の医用画像診断装置から取得する画像データ取得部と、前記データ収集部で取得した前記診断画像データ及び前記画像データ取得手段で取得した画像データを表示する表示部と、を有することを特徴とする。
【０００９】
また、本発明に係る画像診断装置は、被検体をスキャンして診断画像データを収集するデータ収集部と、前記被検体の識別情報に基づいて、他の医用画像診断装置に対応する画像リストを取得するリスト取得部と、前記リスト取得部で取得した前記画像リストにおける記載件数を、前記画像診断装置毎にカウントする件数カウント部と、前記件数カウント部でカウントした、前記各記載件数を前記画像診断装置毎に表記した合成リストを作成する合成リスト作成部と、前記合成リスト作成部で作成した前記合成リストを、参照情報として表示する表示部と、を有することを特徴とする。
【発明の効果】
【００１０】
本発明に係る画像診断装置によれば、複数の装置が有するデータを簡潔に表示することができる。
【図面の簡単な説明】
【００１１】
【図１】本発明の一実施形態に係る画像診断装置の概略構成を示すブロック図。
【図２】同上の実施形態における、統合リスト作成の動作を示すフローチャート。
【図３】同上の実施形態における、統合リストから画像診断装置のリストを表示する動作を示すフローチャート。
【図４】同上の実施形態における、（ａ）統合リスト、（ｂ）Ｘ線診断装置のリスト、（ｃ）超音波診断装置のリスト。
【図５】同上の実施形態における、（ｄ）Ｘ線診断装置の診断に必要な項目リスト、（ｅ）は（ｄ）のリストで「循環器用」が選択された場合のリスト。
【図６】同上の実施形態における、Ｘ線診断装置のリスト。
【図７】同上の実施形態における、超音波診断装置のリスト。
【図８】同上の実施形態における、超音波診断装置のリストにＰＥＴの項目を付け加えたリスト。
【発明を実施するための形態】
【００１２】
以下、本発明の実施形態を添付図面に基づいて説明する。
【００１３】
図１は、本発明の一実施形態に係るデータサーバ２及び画像診断装置３ａ、３ｂ、３ｃ、３ｄ、３ｅ・・・の概略構成を示すブロック図である。画像診断装置３ａ、３ｂ、３ｃ、３ｄ、３ｅは、例えば超音波診断装置、Ｘ線ＣＴ装置、ＭＲＩ装置、陽電子放出コンピュータ断層(PET: positron emission computed tomography)装置や単光子放出コンピュータ断層(SPECT: single photon emission computed tomography)装置等の核医学診断装置、Ｘ線診断装置等を示す。
【００１４】
データサーバ２は、病院内のＬＡＮ（ローカルエリアネットワーク）を介して画像診断装置３ａ、３ｂ、３ｃ、３ｄ、３ｅと相互に通信可能に接続される。
【００１５】
画像診断装置３ａは医用情報操作装置１、センサ３１、データ処理部３２、画像データ記憶部３３を含む。なお、画像診断装置３ｂ〜３ｅにも医用情報操作装置１を含んでいても良い。センサ３１は、患者である被検体からデータを取得する。データ処理部３２は、センサ３１で取得したデータに対し所定の信号処理を行うことにより、画像データを生成する。画像データ記憶部３３は、データ処理部３２で生成した画像データを記憶する。
【００１６】
医用情報操作装置１は、制御部１０、操作部１１、表示部１２、通信部１５、記憶部１６を含む。制御部１０は、全体の制御を司り、例えばＯＳ(Operating System)等の基本プログラム及び所定のプログラムに従って処理を実行する演算装置である。操作部１１はキーボードやマウス等の入力装置であり、データの入力を行う。表示部１２はモニタ等であり、後述するリストや撮影画像等を表示する。通信部１５は、病院内ＬＡＮに接続し、データサーバ２との通信を行う。
【００１７】
記憶部１６は、プログラム及びデータを記憶するメモリであり、後述する制御部１０の自装置リスト作成部５３で作成する、画像診断装置３ａ自身の、患者ＩＤ、名前、撮影条件、撮影部位、画像識別のための画像ＩＤ等といった撮影および診断に必要な項目に対する少なくとも１つのデータが記載されたリストを格納する。また記憶部１６は、後述する制御部１０のリスト取得部５２が他の画像診断装置から取得した、患者ＩＤ、名前、撮影条件、撮影部位、画像識別のための画像ＩＤ等といった撮影および診断に必要な項目に対する少なくとも１つのデータが記載されたリストを格納する。
【００１８】
制御部１０は、患者データ取得部５０、画像データ取得部５１、リスト取得部５２、自装置リスト作成部５３、件数カウント部５４、統合リスト作成部５５を含む。患者データ取得部５０は、データサーバ２内の患者ＩＤテーブル２１より、患者ＩＤ、患者名、身長、体重等の基本データを取得する。画像データ取得部５１は、データサーバ２内の画像データテーブル２２または画像診断装置３ａ〜３ｅの画像データ記憶部が有する、少なくとも１つの画像ＩＤおよび対応する画像データを取得する。リスト取得部５２は、他の画像診断装置３ｂ〜３ｅが有する、患者データ取得部５０および画像データ取得部５１で取得したデータに基づく、上述した撮影及び診断に必要な項目に対する少なくとも１つのデータが記載されたリストを取得する。自装置リスト作成部５３は、画像診断装置３ａ自身における、患者データ取得部５０および画像データ取得部５１で取得したデータに基づく、上述した撮影及び診断に必要な項目に対する少なくとも１つのデータが記載されたリストを作成する。件数カウント部５４は、リスト取得部５２で取得した他の画像診断装置３ｂ〜３ｅのリストおよび自装置リスト作成部５３で作成した画像診断装置３ａのリストに表記された検査の件数をカウントする。統合リスト作成部５５は、リスト取得部５２で取得した他の画像診断装置３ｂ〜３ｅのリストおよび自装置リスト作成部５３で作成した画像診断装置３ａのリストを参照可能であり、患者ＩＤおよびリストの記載件数を記載した統合リストを作成する。
【００１９】
データサーバ２は、患者ＩＤテーブル２１、画像データテーブル２２を格納する。患者ＩＤテーブル２１には、患者ＩＤ、患者名、身長、体重等の基本データを格納する。画像データテーブル２２は、画像診断装置３ａ〜３ｅで撮影した画像を識別する画像ＩＤと、対応する撮影画像データを、装置毎に格納する。
【００２０】
次に、上記構成における画像診断装置３ａ内の医用情報操作装置１における、統合リスト作成動作について、図２を用いて説明する。本実施形態では、患者ＩＤ「00001」についての統合リストを作成する。
【００２１】
ユーザは医用情報操作装置１の操作部１１を用いて患者ＩＤ「00001」を入力する（ステップＳ１０１）。制御部１０の患者データ取得部５０は、通信部１５を介してデータサーバ２の患者ＩＤテーブル２１から、入力された患者ＩＤ「00001」に対応する患者名、身長、体重等といった基本データを取得する（ステップＳ１０３）。
【００２２】
次に件数カウント部５４は、自装置リスト作成部５３で作成され、記憶部１６に格納された、自装置（画像診断装置３ａ）の患者ＩＤ「00001」に関する撮影及び診断に必要な項目に対応するデータが記載されたリストに基づいて、記載件数（検査件数）をカウントする（ステップＳ１０４）。
【００２３】
次にリスト取得部５２は、通信部１５を介して他の画像診断装置３ｂ〜３ｅへ、患者ＩＤ「00001」を送信して各装置に患者ＩＤ「00001」に関するデータを要求し（ステップＳ１０５）、他装置における患者ＩＤ「00001」に関するリストを取得し記憶部１６に格納する（ステップＳ１０７）。このときリスト取得部５２は、ＬＡＮに接続されたすべての画像診断装置にデータを要求してもよいし、記憶部１６にあらかじめ登録した画像診断装置に対してのみデータを要求してもよい。また、要求するデータは、患者ＩＤ「00001」のデータ全てでもよいし、リスト取得部５２が指定する特定のデータでもよい。
【００２４】
次に、件数カウント部５４は、他の画像診断装置毎に、取得したリストの記載件数（検査件数）をカウントする（ステップＳ１０９）。例えば、リスト取得部５２が、図６および図７に示した患者ＩＤ「00001」におけるＸ線診断装置および超音波診断装置のリストを取得したとすると、件数カウント部５４は、Ｘ線診断装置におけるリストの記載件数を３件、超音波診断装置におけるリストの記載件数を２件とカウントする。
【００２５】
件数カウント部５４が取得した他の画像診断装置のリストについて、すべてカウントを終了したら（ステップＳ１１１で「Ｙｅｓ」）、統合リスト作成部５５は、患者ＩＤおよび自装置を含めた各画像診断装置におけるリストの記載件数を記載した統合リストを作成し、表示部１２に表示する（ステップＳ１１３）。
【００２６】
なお、ステップＳ１０９で件数カウント部５４がカウントする件数は、記載件数（検査件数）の他に、各画像診断装置における検査に対応する画像データの合計数でもよい。例えば、図６のＸ線診断装置では画像ＩＤの合計が７個あるので７件とカウントし、図７の超音波診断装置では画像ＩＤの合計が４個あるので４件とカウントしても良い。
【００２７】
次に、統合リストから画像診断装置のリストを表示する動作を図３に示す。この統合リストにおいて、ユーザは任意の画像診断装置の記載件数の数字を選択する（ステップＳ２０１）。選択された記載件数の数字が自装置の項目ではない場合（ステップＳ２０３で「Ｎｏ」）、制御部１０はリスト取得部５２が取得し記憶部１６に格納した、対応する画像診断装置のリストを表示部１２に表示させる（ステップＳ２０５）。選択された記載件数の数字が自装置の項目である場合（ステップＳ２０３で「Ｙｅｓ」）、制御部１０は記憶部１６から自装置のリストを取得し、表示部１２に表示させる（ステップＳ２０７）。
【００２８】
次にユーザは、ステップＳ２０５またはステップＳ２０７で表示された画像診断装置のリストにおいて、画像ＩＤの項目に表示された画像ＩＤを選択する（ステップＳ２０８）。画像データ取得部５１は、データサーバ２の画像データテーブル２２より、該当する画像ＩＤに対応した画像データを取得して表示部１２に表示させる（ステップＳ２０９）。なお、上記画像データが該当する画像診断装置内に記憶され、画像データ取得部５１が画像ＩＤに対応する画像データを画像診断装置から直接取得しても良い。
【００２９】
統合リストと各画像診断装置のリストとの例を図４に示す。統合リスト（ａ）で、患者ＩＤ「00001」のＸ線診断装置の欄に記載された「３」（記載件数が３件であることを示す）をユーザが選択すると、制御部１０はＸ線診断装置のリスト（ｂ）を表示部１２に表示する。ユーザがＸ線診断装置のリスト（ｂ）にある、所望の画像ＩＤを選択すると、画像データテーブル２２に格納されたＸ線診断装置の、選択した画像ＩＤに対応する画像データが表示部１２に表示される。超音波診断装置についても同様に、ユーザが統合リストの超音波診断装置の欄に記載された「２」を選択すると、制御部１０は超音波診断装置のリスト（ｃ）を表示部１２に表示する。ユーザが超音波診断装置のリスト（ｃ）にある、所望の画像ＩＤを選択すると、画像データテーブル２２に格納された超音波診断装置の、選択した画像ＩＤに対応する画像データが表示部１２に表示される。また、Ｘ線診断装置が自装置である場合は、Ｘ線診断装置のリストは記憶部１６に格納される。
【００３０】
なお、上述した実施形態では、各画像診断装置からリストを取得したが、データサーバ２に各画像診断装置のリストが格納され、データサーバ２から取得しても良い。
【００３１】
また、上述した統合リストでは、画像診断装置３ａ〜３ｅを項目として、各画像診断装置におけるリストの記載件数を選択することで、各画像診断装置のリストを表示したが、各画像診断装置における診断に必要な項目についても、同様のリスト表示が可能である。画像診断装置のリストに記載されている、特定の項目をユーザが選択すると、その項目に絞られたリストが表示される。
【００３２】
例として図５に、Ｘ線診断装置の診断に必要な項目のリスト（ｄ）と、項目の「用途」で「循環器用」が選択された場合の、絞り込まれた循環器用のリスト（ｅ）とを示す。このとき、（ｄ）のリストで表示していない、Ｘ線診断装置の循環器用に特化した項目について、（ｅ）のリストに表示する。
【００３３】
以上により本発明では、他の画像診断装置の情報および画像を参照したい場合、各画像診断装置の検査件数をカウントして統合リストが作成される。そしてその統合リストに記載した検査件数を選択することにより、該当する画像診断装置のリストおよび画像を表示することができる。よって、複数の画像診断装置のデータを簡潔に表示することができ、画像や情報の参照を効率よく行うことができる。また、ユーザが直接項目を選択することができるので、直感的な使用が可能である。
【符号の説明】
【００３４】
１…医用情報操作装置、２…データサーバ、３ａ〜３ｅ…画像診断装置、１０…制御部、１１…操作部、１２…表示部、１５…通信部、１６…記憶部、２１…患者ＩＤテーブル、２２…画像データテーブル、５０…患者データ取得部、５１…画像データ取得部、５２…リスト取得部、５３…自装置リスト作成部、５４…件数カウント部、５５…統合リスト作成部。
【図１】
2011024688.tif 000003
【図２】
2011024688.tif 000004
【図３】
2011024688.tif 000005
【図４】
2011024688.tif 000006
【図５】
2011024688.tif 000007
【図６】
2011024688.tif 000008
【図７】
2011024688.tif 000009
【図８】
2011024688.tif 000010